(57)【要約】【課題】原稿の浮き上がりを少なくすること。【解決手段】画像読取装置１０１は、原稿の画像を読み取る画像読取ユニット１０１Ａの流し読み位置ＲＰに原稿を搬送する原稿搬送ユニット１０１Ｂと、流し読み位置ＲＰよりも原稿搬送方向Ｊの下流側に設けられ、画像読取ユニット１０１Ａによって画像が読み取られて搬送される原稿を上方へ案内する掬い上げガイド１３と、流し読み位置ＲＰにおける原稿の搬送路高さを規制するプラテンガイド２７と、プラテンガイド２７と掬い上げガイド１３との間に設けられ、プラテンガイド２７よりも原稿の搬送路高さを低く規制する原稿押さえ部材２８と、を備えて、プラテンガイド２７と原稿押さえ部材２８とで、原稿の浮き上がりを防止して、画像読取精度を向上させている。【選択図】図６
2016181771.tif 000002
【特許請求の範囲】
【請求項１】
原稿の画像を読み取る画像読取ユニットと、
前記画像読取ユニットの原稿読取位置に原稿を搬送する原稿搬送ユニットと、
前記原稿読取位置よりも原稿搬送方向の下流側に設けられ、前記画像読取ユニットによって画像が読み取られて搬送される原稿を上方へ案内する案内部と、
前記読取位置における原稿の搬送路高さを規制する第１の規制部と、
前記第１の規制部と前記案内部との間に設けられ、前記第１の規制部よりも原稿の搬送路高さを低く規制する第２の規制部と、を備えた、
ことを特徴とする画像読取装置。
【請求項２】
前記画像読取ユニットは、前記原稿が搬送される透明部材を備え、
前記第２の規制部は、前記原稿搬送ユニットによって搬送される原稿を前記透明部材に押圧するように弾性を備えている、
ことを特徴とする請求項１に記載の画像読取装置。
【請求項３】
前記第２の規制部は、前記原稿搬送方向の下流側に向かって前記原稿の搬送路高さが低くなるように前記原稿の搬送路高さを規制する、
ことを特徴とする請求項１又は２に記載の画像読取装置。
【請求項４】
前記第１の規制部は、前記透明部材と所定の間隔を空けて前記読取位置における原稿の浮き上がり量を規制する、
ことを特徴とする請求項２又は３に記載の画像読取装置。
【請求項５】
前記画像読取ユニットは、
前記原稿読取位置に対して一方向から光を照射する光源と、
前記原稿読取位置に搬送される原稿からの反射光を受光することで前記原稿の画像データを生成する撮像部と、を備えた
ことを特徴とする請求項１乃至４のいずれか１項に記載の画像読取装置。
【請求項６】
請求項１乃至５のいずれか１項に記載の画像読取装置と、
前記画像読取装置の画像読取情報に基づいてシートに画像を形成する画像形成手段と、を備えた、
ことを特徴とする画像形成装置。
【発明の詳細な説明】
【技術分野】
【０００１】
本発明は、原稿を読む画像読取装置と、この画像読取装置が読み取った画像データに基づいてシートに画像を形成する画像形成装置とに関する。
【背景技術】
【０００２】
シートに画像を形成する複写機、プリンタ等の画像形成装置には、原稿を読み取る画像読取装置を備え、その画像読取装置が読み取った原稿の画像をシートに複写するようになっているものがある。この場合、画像読取装置は、２つの読取り方式を採用しており、ユーザが選択した方法で原稿を読み取るようになっている。２つの読み取り方式には、固定読みと、流し読みとがある。
【０００３】
固定読みは、シート状或いは冊子状の原稿をガラスなどの透明状の原稿台に載置して固定した状態で、画像読取装置内に備えられた読取センサを一定方向に移動して走査することで原稿の画像を読み取る読み取り方式である。流し読みは、原稿搬送装置の原稿トレイにユーザによって載置された原稿を、原稿搬送装置が画像読取装置の画像読取位置に送り込み、画像読取位置に停止している読取センサの上にある原稿台上を通過させてその原稿を読み取る読み取り方式である。
【０００４】
そして、固定読みの場合は、原稿搬送装置で原稿を原稿台に押圧した状態で画像を読み取るので、画像を鮮明に読み取ることができるようになっている。また、流し読みの場合も、原稿が読取位置を通過するとき、原稿が原稿台に密着した状態あるいは一定の距離開けた状態で通過するようにして、やはり、画像を鮮明に読み取ることができるようになっている。しかし、流し読みの場合、搬送される原稿が原稿台から離れ過ぎると、画像を鮮明に読み取ることができない。このため、画像読取装置には、原稿と読取センサとの距離を一定に保つ対策が講じられている(特許文献１)。
【先行技術文献】
【特許文献】
【０００５】
【特許文献１】特開２００１−１２７９４９号公報
【発明の概要】
【発明が解決しようとする課題】
【０００６】
特許文献１の、原稿と読取センサとの距離を一定に保つようにした構成は、原稿の浮き上がりを防止する原稿押圧部材を備えた構成になっている。そして、原稿押圧部材の原稿搬送方向の下流側の部分は、読取センサから徐々に離れるように形成されている。このため、搬送されてきた原稿は、原稿搬送方向の下流側の部分に沿って読取センサから離れるように浮き上がる場合があった。この結果、従来の画像読取装置は、画像読取精度にばらつきが生じることがあった。
【０００７】
本発明は、原稿を流し読みするとき、原稿の浮き上がりを防止し、画像読取精度を向上することが可能な画像読取装置と、この画像読取装置を備えた画像形成装置とを提供することを目的としている。
【課題を解決するための手段】
【０００８】
本発明の画像読取装置は、原稿の画像を読み取る画像読取ユニットと、前記画像読取ユニットの原稿読取位置に原稿を搬送する原稿搬送ユニットと、前記原稿読取位置よりも原稿搬送方向の下流側に設けられ、前記画像読取ユニットによって画像が読み取られて搬送される原稿を上方へ案内する案内部と、前記読取位置における原稿の搬送路高さを規制する第１の規制部と、前記第１の規制部と前記案内部との間に設けられ、前記第１の規制部よりも原稿の搬送路高さを低く規制する第２の規制部と、を備えた、ことを特徴としている。
【０００９】
本発明の画像形成装置は、上記の画像読取装置と、前記画像読取装置の画像読取情報に基づいてシートに画像を形成する画像形成手段と、を備えた、ことを特徴としている。
【発明の効果】
【００１０】
本発明の画像読取装置は、原稿の浮き上がりを防止し、画像読取精度を向上することができる。
【図面の簡単な説明】
【００１１】
【図１】本発明の実施形態の画像形成装置のシート搬送方向に沿った断面図である。
【図２】本発明の実施形態における画像読取装置の外観斜視図である。
【図３】図２の画像読取装置の原稿搬送ユニットを取り除いた画像読取ユニットの外観斜視図である。
【図４】図３の画像読取ユニットの固定読みガラスと流し読みガラスとカバーとを取り除いた画像読取ユニットの外観斜視図である。
【図５】図２のＫ−Ｋ矢視断面図である。
【図６】図５の画像読取装置における流し読み位置ＲＰ周辺部分の拡大図である。
【図７】図５の画像読取装置における流し読み位置周辺部分の構成の動作説明用の図である。（Ａ）は、原稿が流し読み位置に送り込まれてきた図である。（Ｂ）は、原稿が流し読み位置に到達した図である。（Ｃ）は、原稿が流し読み位置を通過している図である。
【発明を実施するための形態】
【００１２】
以下、本発明の実施形態である画像読取装置と、この画像読取装置を装置本体に備えた画像形成装置とを図に基づいて説明する。
【００１３】
（画像形成装置）
図１は、本発明の実施形態の画像形成装置のシート搬送方向に沿った断面図である。
【００１４】
画像形成装置には、複写機、プリンタ、ファクシミリ、及びこれらの複合機器等がある。画像形成装置１００は、装置本体１００Ａと、装置本体１００Ａの上部に備えられた画像読取装置１０１とを備えている。画像読取装置１０１は、画像読取ユニット１０１Ａと、原稿搬送ユニット１０１Ｂとを備えている。画像読取ユニット１０１Ａは、原稿搬送ユニット１０１Ｂによって流し読みガラス２に供給される原稿Ｄか、或いは固定読みガラス１にユーザによって載置された原稿Ｄを読み取るようになっている。
【００１５】
このような画像形成装置１００において、装置本体１００Ａは、画像読取装置１０１が原稿を読み取った画像読取情報や、パソコンや、ファクシミリ等の外部機器から送信されてきた画像データを、レーザ発光書込ユニット１２５で受け取る。レーザ発光書込ユニット１２５は、画像データに基づいてレーザ光Ｌ２を、帯電器１１３によって帯電されて回転している感光ドラム１２４の周面を照射し、その周面に静電潜像を形成する。静電潜像は、トナーボトルユニット１１６の現像剤（トナー）によって、トナー像となり可視像化される。感光ドラム１２４、帯電器１１３、トナーボトルユニット１１６等は、画像形成部１２３を形成している。
【００１６】
一方、装置本体１００Ａのピックアップローラ１１２は、カセット１１１からシートＰを取り出す。そして、シート分離ローラ対１１４は、シートを搬送ローラ対１１７に搬送する。シート分離ローラ対１１４は、シートが重なっている場合、シートを１枚ずつに分離して、搬送する。
【００１７】
搬送ローラ対１１７は、回転停止しているレジストローラ対１１５にシートを搬送する。レジストローラ対１１５は、回転を停止した状態でシートの先端を受け止めて、シートが斜行している場合、真っ直ぐに矯正する。レジストローラ対１１５は、感光ドラム１２４に形成されているトナー像の位置に合わせて、シートを感光ドラム１２４と転写器１１８との間に送り込む。転写器１１８は、感光ドラム１２４のトナー像をシートに転写する。搬送ベルト１１９は、シートを定着器１２０に送り込む。定着器１２０は、シートを加熱加圧して、シートにトナー像を定着する。
【００１８】
シートは、片面にだけ、画像を形成される場合、排出ローラ対１２１によって装置本体１００Ａから外部に排出される。シートは、両面に形成される場合、反転パス１２２を搬送されながら、表裏反転されて、再度、感光ドラム１２４と転写器１１８との間に搬送されて、他方の面にトナー像を形成される。そして、シートは、定着器１２０で他方の面にトナー像を定着されて、装置本体１００Ａから外部に排出される。
【００１９】
（画像読取装置）
図２は、本発明の実施形態における画像読取装置１０１の外観斜視図である。図３は、図２の画像読取装置１０１の原稿搬送ユニット１０１Ｂを取り除いた画像読取ユニット１０１Ａの外観斜視図である。図４は、図３の画像読取ユニット１０１Ａの固定読みガラス１と流し読みガラス２とカバー３とを取り除いた画像読取ユニット１０１Ａの外観斜視図である。
【００２０】
画像読取装置１０１は、原稿を読み取る画像読取ユニット１０１Ａと、画像読取ユニット１０１Ａの原稿読取位置としての流し読み位置ＲＰに原稿を自動的に搬送する原稿搬送ユニット１０１Ｂとを備えている。画像読取ユニット１０１Ａのケーシング４０は、ベースフレーム１４とベースフレーム１４に取外し自在に設けられたカバー３とで形成されている。ケーシング４０内には、後述するセンサユニット４１、ガイドシャフト９、ギアプーリ１０、従動プーリ１５等が収納されている。
【００２１】
カバー３には、上面１ａ(図１)に原稿が載置される透明部材としての固定読みガラス１と、上面２ａ(図１)を原稿が通過する透明部材としての流し読みガラス２と、掬い上げガイド１３(図３)とが設けられている。掬い上げガイド１３は、固定読みガラス１と、流し読みガラス２との間に配置されている。案内部としての掬い上げガイド１３は、原稿搬送ユニット１０１Ｂにより画像読取ユニット１０１Ａに搬送された原稿を、再び原稿搬送ユニット１０１Ｂへ案内して戻すために、原稿を流し読みガラス２から掬い上げるようになっている。
【００２２】
カバー３をベースフレーム１４から取り外すと、カバー３と一体に、固定読みガラス１と流し読みガラス２と掬い上げガイド１３も、ベースフレーム１４から取り外すことができる。なお、固定読みガラス１と流し読みガラス２と掬い上げガイド１３は、カバー３に対して取外し自在になっていてもよい。
【００２３】
固定読みガラス１（図１）の下面１ｂと、流し読みガラス２の下面２ｂとには、センサユニット４１の読取デバイスとして密着型のイメージセンサ４が選択的に密着するようになっている。イメージセンサ４は長手方向に光源からの光を原稿へと案内するための導光体４ａ（図６）を、イメージセンサ４の短手方向に１つ備えている。図２、図３において、ガイドシャフト９は、長尺なセンサユニット４１の長手方向（主走査方向Ｆ）に対して直角方向に、ベースフレーム１４に配置されている。センサユニット４１は、ガイドシャフト９に案内されて、副走査方向Ｅに往復移動するようになっている。
【００２４】
ガイドシャフト９の一端側（図４において左端側）には、駆動モータＭ(図１)の動力を伝えるギアプーリ１０が配置してある。ガイドシャフト９の他端側（図４において右端側）には、従動プーリ１５が配置してある。ギアプーリ１０と従動プーリ１５とには、無端環状のタイミングベルト１１が掛け渡してある。タイミングベルト１１は、ガイドシャフト９に略平行に架設されている。タイミングベルト１１の一部分は、イメージセンサ４（図４）を支持したセンサホルダ７の軸受４２に接続されている。駆動モータＭの回転は、ギアプーリ１０を介してタイミングベルト１１に伝達されるようになっている。また、センサホルダ７は、主走査方向Ｆの中間部に一体的に設けられた軸受４２（図４）がガイドシャフト９に受け止め支持されて、ガイドシャフト９に沿って移動するようになっている。
【００２５】
したがって、駆動モータＭによってタイミングベルト１１が循環すると、タイミングベルト１１に連動してセンサユニット４１がガイドシャフト９上を移動する。そして、センサホルダ７に位置決め保持されているイメージセンサ４が固定読みガラス１および流し読みガラス２の下側を移動して原稿の画像を読み取ることができる。イメージセンサ４の移動方向は、駆動モータＭの正逆回転により変えることができる。
【００２６】
ベースフレーム１４の底部１４ａ(図４)には、イメージセンサ４がホームポジションＨＰ（図１）に居るか否かを検知する位置検知センサ１２が設けられている。位置検知センサ１２は、ベースフレーム１４に設けたセンサフラグ７ｂを検知して、イメージセンサ４がホームポジションＨＰに居るか否かを検知するようになっている。
【００２７】
以上の構成の画像読取ユニット１０１Ａは、ユーザが原稿を固定読みガラス１の上面１ａに置いた原稿の画像を、センサユニット４１を固定読みガラス１の下面１ｂを移動させて読み取るようになっている。この読み取り方は詳細に後述する固定読みである。一方、画像読取ユニット１０１Ａは、センサユニット４１を流し読み位置ＲＰの流し読みガラス２の下に移動させて、停止させるようになっている。そして、画像読取ユニット１０１Ａは、流し読みガラス２の上面２ａを原稿搬送ユニット１０１Ｂにより搬送される原稿の画像を、センサユニット４１で読み取るようになっている。この読み方は詳細に後述する流し読みである。
【００２８】
次に、画像読取ユニット１０１Ａに搭載された原稿搬送ユニット１０１Ｂを図５に基づいて説明する。図５は、図２のＫ−Ｋ矢視断面図である。原稿搬送ユニット１０１Ｂは、原稿を途中でスイッチバック搬送して、画像読取ユニット１０１Ａが原稿の両面を自動的に読み取ることができるようになっている。
【００２９】
原稿搬送ユニット１０１Ｂは、主に、次の各構成要素を備えている。すなわち、読み取る原稿がユーザによって載置される原稿給紙トレイ１６。原稿給紙トレイ１６の下方に設けられて、読取が終了した原稿が排出されて積載される原稿排紙トレイ１７。原稿給紙トレイ１６に載置された原稿を１枚ずつ搬送部２２へ送る分離ローラ１８。分離ローラ１８と対向する位置に配置されて重なっている原稿を分離ローラ１８と協動して１枚に分離する分離パッド１９。分離ローラ１８と分離パッド１９のニップ部からなる分離部２０へ原稿給紙トレイ１６上の原稿を送り込むピックローラ２１。分離部２０から画像読取ユニット１０１Ａの流し読みガラス２上に設定された流し読み位置ＲＰまでの間に設けられた搬送パス２３。搬送パス２３上に設けられた搬送ローラ対２５。流し読み位置ＲＰの上方に配設され、流し読みガラス２に対して一定の隙間Ｇ（図６）を持って設けられたプラテンガイド２７。流し読みガラス２に対して搬送原稿を押さえ付ける原稿押さえ部材２８。原稿の搬送方向で原稿排紙トレイ１７の上流に設けられた排紙ローラ２９。自動両面読取の際に排紙ローラ２９によってスイッチバック搬送された原稿を反転パス２４へ案内する反転部材３０。
【００３０】
以上のように構成された画像読取装置１０１は、ユーザが原稿の読み取り方式を任意に選択することができるようになっている。読み取り方式には、固定読み方式と流し読み方式とがある。固定読み方式は、ユーザが原稿を固定読みガラス１上に置いた状態で、イメージセンサ４が固定読みガラス１の下を副走査方向Ｅ（図３）に移動して、画像を読み取る方式である。この方式では１枚のシート状の原稿の他に、冊子状の原稿も読み取ることができる。流し読み方式は、イメージセンサ４を、流し読みガラス２の直下を移動させて、所定の流し読み位置ＲＰに待機させ、原稿給紙トレイ１６にユーザが載置した原稿を流し読みガラス２上を通過させて読み取る方式である。固定読みと流し読みとの切り替えは、ユーザが画像読取ユニット１０１Ａと、原稿搬送ユニット１０１Ｂとのどちらかに原稿をセットした際に自動的に、もしくはユーザの設定により自由に行えるようになっている。
【００３１】
次に、本実施形態の画像形成装置の特長とする、画像読取装置１０１における流し読み位置ＲＰ周辺部分の構成を図６に基づいて説明する。図６は、図５の画像読取装置１０１における流し読み位置ＲＰ周辺部分の拡大図である。画像読取ユニット１０１Ａに設けられた流し読みガラス２上の所定の位置に流し読み位置ＲＰが設定されている。流し読みガラス２の流し読み位置ＲＰの真下には、センサユニット４１が待機するようになっている。流し読みガラス２の原稿搬送方向Ｊの下流側には、掬い上げガイド１３が設けられている。掬い上げガイド１３は、流し読みガラス２の上を通過した原稿を流し読みガラス２から掬い上げて原稿排紙トレイ１７に案内するための部材である。掬い上げガイド１３には、原稿を掬い上げることができるように、原稿搬送方向Ｊの下流に行くに従って登り勾配の掬い上げ面１３ａが形成されている。
【００３２】
流し読み位置ＲＰに対向する原稿搬送ユニット１０１Ｂには、プラテンガイド２７が設けられている。原稿搬送方向Ｊの第１の規制部としてのプラテンガイド２７は、搬送パス２３を搬送されてきた原稿を流し読みガラス２の上面から浮き上がらないようにする部材である。プラテンガイド２７は、原稿搬送ユニット１０１Ｂのフレーム４５に対して、流し読みガラス２に接近離間するように、上下動自在に設けられており、通常、不図示のばねによって、流し読みガラス２の側に押圧されている。そして、プラテンガイド２７は、流し読みガラス２との間に後述する隙間Ｇが生じるように、下降位置が規制されている。
【００３３】
プラテンガイド２７の原稿搬送方向Ｊの上流側の部分には、原稿を流し読みガラス２に接近させるための案内面(傾斜面)２７ａが、原稿搬送方向Ｊの下流側に行くに従って流し読みガラス２に接近するように傾斜して形成されている。また、流し読み位置ＲＰに対向するプラテンガイド２７の部分には、原稿が流し読みガラス２から浮き上がるのを防止する浮き上がり防止面２７ｂが形成されている。浮き上がり防止面２７ｂは、流し読みガラス２の上面２ａと平行に形成された平坦面であり、流し読みガラス２との間に原稿が通過できる程度の隙間Ｇを形成して、流し読みガラス２に対向している。フレーム４５のプラテンガイド２７の原稿搬送方向Ｊの下流側の隣には、上壁ガイド片４３が位置してフレーム４５に設けられている。上壁ガイド片４３は、掬い上げガイド１３の掬い上げ面１３ａと平行に対向する案内面４３ａを有している。掬い上げ面１３ａと案内面４３ａは、流し読みガラス２の上面２ａを通過する原稿を流し読みガラス２から原稿搬送ユニット１０１Ｂ内に導き入れて原稿排紙トレイ１７に案内する排出パス４４を形成している。掬い上げ面１３ａよりも原稿搬送方向Ｊの上流側でかつ上壁ガイド片４３の下面の、プラテンガイド２７に近い位置に、原稿搬送方向Ｊの下流側に向けて延びた原稿押さえ部材２８が設けられている。原稿搬送方向Ｊの第２の規制部としての原稿押さえ部材２８は、ＰＥＴ，ＡＢＳ等の弾性を備えた樹脂製のシート状の弾性片であり、原稿押さえ部材２８の下流端部（後端部）２８ａが流し読みガラス２の上面２ａに圧接して接触している。
【００３４】
以上説明した、画像読取装置１０１における流し読み位置ＲＰ周辺部分の構成の動作を図７に基づいて説明する。図７は、図５の画像読取装置１０１における流し読み位置ＲＰ周辺部分の構成の動作説明用の図である。図７の（Ａ）図は、原稿が流し読み位置ＲＰに送り込まれてきた図である。図７の（Ｂ）図は、原稿が流し読み位置ＲＰに到達した図である。図７の（Ｃ）図は、原稿が流し読み位置ＲＰを通過している図である。
【００３５】
図７の（Ａ）図において、原稿Ｄが搬送パス２３を搬送ローラ対２５(図５)によって流し読み位置ＲＰに搬送されてくる。そして、原稿は、案内面２７ａに案内されて、浮き上がり防止面２７ｂと流し読みガラス２の上面２ａとの隙間Ｇに進入する。このとき、既に、センサユニット４１は、流し読み位置ＲＰに待機して、センサユニット４１のイメージセンサ４の導光体４ａから流し読み位置ＲＰに一方向の光を照射して、反射光を受光し、不図示の撮像部で画像データを生成して画像を読み取っている。
【００３６】
図７の（Ｂ）図に示すように、原稿Ｄは、流し読み位置ＲＰに到達して、浮き上がり防止面２７ｂによって、浮き上がりを防止され、流し読みガラス２の上面２ａに近接して、流し読み位置ＲＰを通過し始める。イメージセンサ４は、ラインセンサであり、主走査方向Ｆ（図３）に１ラインずつ原稿を読み取る。原稿Ｄは、さらに搬送されると、原稿押さえ部材２８に当接して、流し読みガラス２に押し付けられる。原稿搬送ユニット１０１Ｂに原稿搬送方向Ｊに所定の間隔をおいて配置され、流し読取位置ＲＰから原稿が浮き上がるのを防止する複数の規制部としてのプラテンガイド２７と原稿押さえ部材２８とによって、原稿Ｄが浮き上がりを防止されて搬送される。
【００３７】
図７の（Ｃ）図に示すように、原稿Ｄは、さらに搬送され、掬い上げガイド１３に掬い上げられて、排出パス４４に進入する。このとき、流し読み位置ＲＰを通過した原稿Ｄが、掬い上げガイド１３に掬い上げられて、流し読みガラス２から浮き上がり、流し読み位置ＲＰからも浮き上がろうとする。しかし、流し読み位置ＲＰを通過した原稿Ｄは、押さえ部材２８によって流し読みガラス２の方に押圧されているため、殆ど浮き上がることがない。このため、流し読み位置ＲＰを中心にして原稿搬送方向Ｊの上流側と下流側との部分が浮き上がることがない。
【００３８】
以上、説明した理由により、原稿を照射するイメージセンサ４の導光体４ａからの照射光Ｌ３の原稿に対する角度α（図６）を略一定にすることができて、画像の読み取り精度の低下を防止することができる。
【００３９】
なお、以上説明したイメージセンサの導光体４ａは１つの場合だったが、２つ以上の複数を備えた場合であっても、搬送原稿の角度を終始保つということに変わりはないため、読取り画像の明るさの不均一性に対する効果は見込むことはできる。
【００４０】
本実施形態では、プラテンガイド２７と流し読みガラス２とが形成する搬送路よりも、原稿押さえ部材２８と流し読みガラス２とが形成する搬送路の高さが低くなるように構成されている。これによって、搬送される原稿が受ける搬送路高さの規制量は、流し読み位置ＲＰよりも原稿押さえ部材２８が設けられた位置の方が大きくなっている。流し読み位置ＲＰよりも搬送方向Ｊの下流側であって、掬い上げガイド１３よりも搬送方向Ｊの上流側である位置において搬送路高さの規制量が大きくなり、掬い上げガイド１３よりも搬送方向Ｊの上流側において原稿がより押えられる構成となっている。これによって、掬い上げガイド１３によって掬い上げられる際の原稿の浮き上がりを防止することができる。
【００４１】
また、プラテンガイド２７と原稿押さえ部材２８は、原稿搬送方向Ｊにおいて間隔を空けて設けられている。このため、プラテンガイド２７と原稿押さえ部材２８との間の部分においては、原稿Ｄが流し読みガラス２に押圧されることがない。そのため、原稿Ｄは流し読みガラス２に押圧されて摺動する部分が少なく、円滑に流し読みガラス２の上を通過することができる。これによって、画像読取装置１０１は、原稿の搬送速度にむらが生じることなく、画像の読み取り精度の低下を防止することができる。尚、原稿の搬送速度にむらが生じないのであれば、プラテンガイド２７と原稿押さえ部材２８が連続して設けられている構成であってもよい。
【００４２】
また、原稿押さえ部材２８は、原稿搬送方向Ｊの下流側に向かうにつれて、原稿が搬送される搬送路の高さが低くなり、原稿の押さえ量が増大するように設けられているため、原稿の搬送を阻害することなく、原稿の浮き上がりを防止できるようになっている。また、原稿押さえ部材２８が原稿搬送方向Ｊの下流側に向かうにつれて搬送路の高さが低くなり、原稿の押さえ量が増大するように設けられている。このため、先端がカールした原稿が搬送される場合においても、原稿押さえ部材２８によって搬送が阻害されることがない。
【００４３】
さらに、剛性の強い(腰の強い)原稿の場合には、掬い上げガイド１３によって掬い上げられて、流し読みガラス２から浮き上がろうとすることが多い。しかし、画像読取装置１０１は、剛性の強い原稿であっても、原稿押さえ部材２８によって、掬い上げガイド１３の原稿搬送方向Ｊの上流側において流し読みガラス２からの浮き上がりがりを防止される。そのため、原稿の剛性による、画像の読み取り精度のばらつきを防止することができる。
【００４４】
また、以上の画像読取装置１０１を備えた画像形成装置１００は、品質の良い画像をシートに形成することができる。
【符号の説明】
【００４５】
１：固定読みガラス、２：流し読みガラス、４：密着型イメージセンサ、１３：掬い上げガイド(案内部)、２７：プラテンガイド（第１の規制部）、２７ａ：案内面（傾斜面）、２８：原稿押さえ部材（第２の規制部）、ＲＰ：流し読み位置(読取位置)、１００：画像形成装置、１０１：画像読取装置、１０１Ａ：画像読取ユニット、１０１Ｂ：原稿搬送ユニット、１２３：画像形成部(画像形成手段)、Ｐ：シート、ＲＰ：流し読み位置（原稿読取位置）、Ｇ：隙間、Ｄ：原稿、Ｊ：原稿搬送方向。
【図１】
2016181771.tif 000003
【図２】
2016181771.tif 000004
【図３】
2016181771.tif 000005
【図４】
2016181771.tif 000006
【図５】
2016181771.tif 000007
【図６】
2016181771.tif 000008
【図７】
2016181771.tif 000009